(57)【要約】【課題】既存のヘッドカバーを改良する必要がなく、後付け可能で汎用性に富むと共に、脱落の可能性を低いヘッドカバー携行用保持具を提供する。【解決手段】ポケットに収容される本体部１０と、ヘッドカバーの端縁を挟持して係合する係合部２０とを備えている。従って、ヘッドカバーの端縁に係合部２０を係合させておけば、ポケットに容易に収容可能な大きさで形成された本体部１０をポケットに収容するだけでヘッドカバーを確実に携行保持できる。このため、パターカバーに使用した際には、グリーンサイドでの置き忘れを防止できる。本体部１０のみをポケットに収容する構造であるため、ヘッドカバーを直接ポケットに収容した場合のように嵩張って違和感を感じさせることもない。係合部２０は、ヘッドカバーの端縁を挟持可能なクリップ等からなるため、ヘッドカバーの種類に拘わらず後付け可能で、汎用性に富む。【選択図】  図３
0003114659.tif 000002
【実用新案登録請求の範囲】
【請求項１】
使用者が着用する被服のポケットに収容可能な大きさを備えた本体部と、
前記本体部に取り付けられ、ゴルフクラブのヘッドカバーの端縁に係合可能な係合部とを有し、
前記係合部にヘッドカバーを係合すると共に、前記本体部を前記ポケットに収容し、ヘッドカバーを前記ポケットの外部に露出させてポケットから吊り下げるように保持可能であることを特徴とするヘッドカバー携行用保持具。
【請求項２】
前記本体部の大きさは、使用する被服のポケットの面積に対し、平面上に投影した際の面積が１／５〜４／５の範囲であることを特徴とする請求項１記載のヘッドカバー携行用保持具。
【請求項３】
前記本体部の大きさは、間口長さ１００〜１２０ｍｍの範囲、深さ８０〜１００ｍｍの範囲でゴルフパンツの後部に形成されたポケットの間口長さと深さとを掛け合わせた面積を基準にして決定されたものであることを特徴とする請求項２記載のヘッドカバー携行用保持具。
【請求項４】
前記本体部の少なくとも一部は、厚み方向の弾力性が所定の範囲に設定されていることを特徴とする請求項１〜３のいずれか１に記載のヘッドカバー携行用保持具。
【請求項５】
前記本体部の少なくとも一部の厚み方向の弾力性は、０．９ｋｇで厚み方向に加圧した際に、非加圧時の１５〜５０％の範囲となるものであることを特徴とする請求項４記載のヘッドカバー携行用保持具。
【請求項６】
前記本体部の少なくとも一部の非加圧時の厚さが、２５〜４５ｍｍの範囲であり、０．９ｋｇで厚み方向に加圧した際の厚さが、８〜２０ｍｍの範囲となるものであることを特徴とする請求項５記載のヘッドカバー携行用保持具。
【請求項７】
前記本体部は、可撓性を有する板状の素材から形成されていると共に、少なくとも片面に滑り止め部材が積層されていることを特徴とする請求項１〜３のいずれか１に記載のヘッドカバー携行用保持具。
【請求項８】
前記係合部は、ヘッドカバーの端縁を挟持可能な挟持片を備えてなることを特徴とする請求項１〜７のいずれか１に記載のヘッドカバー携行用保持具。
【請求項９】
前記本体部と係合部との間に、金属製の連結部材が介在されて連結されていることを特徴とする請求項１〜８のいずれか１に記載のヘッドカバー携行用保持具。
【請求項１０】
前記本体部が、保持対象となるヘッドカバーの形状に類似し、該ヘッドカバーよりも小さな形状で形成されていることを特徴とする請求項１〜９のいずれか１に記載のヘッドカバー携行用保持具。
【請求項１１】
前記ヘッドカバーがパターカバーであり、パターカバーを保持するために用いられるものであることを特徴とする請求項１〜１０のいずれか１に記載のヘッドカバー携行用保持具。
【考案の詳細な説明】
【技術分野】
【０００１】
本考案は、ゴルフクラブのヘッドカバー、特に、パターカバーを使用者の身に付けて携行保持することができるヘッドカバー携行用保持具に関する。
【背景技術】
【０００２】
ゴルフ場においては、所定のゴルフクラブを使用する際に、当該ゴルフクラブのヘッドに装着されたヘッドカバーを取り外す。取り外したヘッドカバーは、キャディバッグ等に一旦収容したり、キャディに預けたりすることも多いが、使用者（プレイヤー）がそのまま着用している被服、中でもゴルフパンツの後部に形成されたポケットに収容してプレーすることもある。ポケットに収容すると、ポケット内で嵩張るため、プレー時にそれが違和感となって影響を及ぼす。また、ポケットの大きさがヘッドカバーの大きさに比べて収容するのに十分余裕のある大きさではないため、これらのヘッドカバーは、そもそもポケットに収容しにくい。そのため、ヘッドカバーの一部のみがポケットに収容された状態でプレーすることもあり、その場合には、プレー中にポケットから脱落することもある。また、ヘッドカバーの中でも、特に、パターカバーの場合には、グリーン上でのプレー直前に取り外し、そのままプレイヤーが携行してプレーする頻度がより高い。その一方、上記のようにパターカバーはそもそもポケットに入れにくいということもあり、ポケットに入れずにグリーンサイドに置いてプレーすることも多い。このため、パターカバーは置き忘れが多い。
【０００３】
上記の点に鑑み、特許文献１には、側面にフックを取り付けたパターカバーが開示されている。このフックをゴルフパンツのポケットなどに引っかけて携行可能とすることで、ポケットへの収納のしにくさ、置き忘れという課題を解消しようとするものである。
【特許文献１】実用新案登録第３０６７７１５号公報
【考案の開示】
【考案が解決しようとする課題】
【０００４】
しかしながら、特許文献１に開示されたものは、パターカバーの側面に切り込みを形成し、その切り込みにフックの一端を差し込んでいる。従って、フックを使用するには、パターカバー自体にかかる切り込みが形成されているか、あるいは、当初からこのようなフック付きのパターカバーとして製造する必要がある。このため、このような切り込みのない通常のパターカバーにフックを取り付けることは極めて困難で、使用者があえてフックを取り付けるとすれば、専門の業者に委託して改良してもらう必要がある。すなわち、特許文献１に開示された技術は、使用者が後付けでフック付きにすることは実質的には不可能で、汎用性に欠ける。また、特許文献１に開示されたフックは、板バネの弾性を利用したものに過ぎないため、フックとパターカバーの側面との隙間が小さく、ポケットの間口に差し込みにくいし、また、ポケットの間口が傷みやすいという問題もある。さらに、板バネ状のフックがポケットの間口に引っかかっているだけであるため、手が当たったり、他の人と接触したりすることにより、容易に脱落してしまう可能性もある。
【０００５】
本考案は上記の点に鑑みなされたもので、既存のヘッドカバーを改良する必要がなく、後付け可能で汎用性に富むと共に、ポケットへの収容が容易で、しかも、脱落の可能性が極めて低く、特に、パターカバーの置き忘れ防止を図るのに適するヘッドカバー携行用保持具に関する。
【課題を解決するための手段】
【０００６】
上記課題を解決するため、請求項１記載の本考案では、使用者が着用する被服のポケットに収容可能な大きさを備えた本体部と、
前記本体部に取り付けられ、ゴルフクラブのヘッドカバーの端縁に係合可能な係合部とを有し、
前記係合部にヘッドカバーを係合すると共に、前記本体部を前記ポケットに収容し、ヘッドカバーを前記ポケットの外部に露出させてポケットから吊り下げるように保持可能であることを特徴とするヘッドカバー携行用保持具を提供する。
請求項２記載の本考案では、前記本体部の大きさは、使用する被服のポケットの面積に対し、平面上に投影した際の面積が１／５〜４／５の範囲であることを特徴とする請求項１記載のヘッドカバー携行用保持具を提供する。
請求項３記載の本考案では、前記本体部の大きさは、間口長さ１００〜１２０ｍｍの範囲、深さ８０〜１００ｍｍの範囲でゴルフパンツの後部に形成されたポケットの間口長さと深さとを掛け合わせた面積を基準にして決定されたものであることを特徴とする請求項２記載のヘッドカバー携行用保持具を提供する。
請求項４記載の本考案では、前記本体部の少なくとも一部は、厚み方向の弾力性が所定の範囲に設定されていることを特徴とする請求項１〜３のいずれか１に記載のヘッドカバー携行用保持具を提供する。
請求項５記載の本考案では、前記本体部の少なくとも一部の厚み方向の弾力性は、０．９ｋｇで厚み方向に加圧した際に、非加圧時の１５〜５０％の範囲となるものであることを特徴とするヘッドカバー携行用保持具を提供する。
請求項６記載の本考案では、前記本体部の少なくとも一部の非加圧時の厚さが、２５〜４５ｍｍの範囲であり、０．９ｋｇで厚み方向に加圧した際の厚さが、８〜２０ｍｍの範囲となるものであることを特徴とする請求項５記載のヘッドカバー携行用保持具を提供する。
請求項７記載の本考案では、前記本体部は、可撓性を有する板状の素材から形成されていることを特徴とする請求項１〜３のいずれか１に記載のヘッドカバー携行用保持具を提供する。
請求項８記載の本考案では、前記係合部は、ヘッドカバーの端縁を挟持可能な挟持片を備えてなることを特徴とする請求項１〜７のいずれか１に記載のヘッドカバー携行用保持具を提供する。
請求項９記載の本考案では、前記本体部と係合部との間に、金属製の連結部材が介在されて連結されていることを特徴とする請求項１〜８のいずれか１に記載のヘッドカバー携行用保持具を提供する。
請求項１０記載の本考案では、前記本体部が、保持対象となるヘッドカバーの形状に類似し、該ヘッドカバーよりも小さな形状で形成されていることを特徴とする請求項１〜９のいずれか１に記載のヘッドカバー携行用保持具を提供する。
請求項１１記載の本考案では、前記ヘッドカバーがパターカバーであり、パターカバーを保持するために用いられるものであることを特徴とする請求項１〜１０のいずれか１に記載のヘッドカバー携行用保持具を提供する。
【考案の効果】
【０００７】
本考案のヘッドカバー携行用保持具は、ポケットに収容される本体部と、ヘッドカバーの端縁に係合する係合部とを備えている。すなわち、特許文献１に開示されたフックのようにポケットに係合する部分とヘッドカバーに係合する部分とが一体となった１つの部材からなるのではなく、それぞれの機能を果たす部材の組み合わせからなる構造である。従って、ヘッドカバーの端縁に係合部を係合させておけば、ポケットに容易に収容可能な大きさで形成された本体部をポケットに収容するだけでヘッドカバーを確実に携行保持できる。このため、パターカバーに使用した際には、グリーンサイドでの置き忘れを防止できる。また、本体部のみをポケットに収容する構造であるため、ヘッドカバー（パターカバーを含む）を直接ポケットに収容した場合のように嵩張って違和感を感じさせることもない。また、係合部は、ヘッドカバーの端縁を挟持可能なクリップ等からなるため、予めヘッドカバーに専用の被係合部（例えば、特許文献１のパターカバー側面に形成された差し込み口のように切り込み）を形成しておく必要がなく、ヘッドカバーの種類に拘わらず後付け可能であるため、汎用性に富む。
【０００８】
本体部として、少なくとも一部における厚み方向の弾力性が所定の範囲に設定されたものを使用することにより、ポケット収容時にはその復元力が作用し、ポケットを内面側から押圧するため、高い摩擦力が機能し、かかる構成とした場合には、ポケットからの脱落を効果的に防止できる。また、本体部として可撓性のある素材から形成した場合には、板状であっても、ポケットに収容した際の違和感を低減できる。但し、この場合には、ポケットからの脱落を防止するため、少なくとも片面にゴム等の滑り止め部材を設けることが好ましい。
【０００９】
また、本体部の形状を、保持対象となるヘッドカバーの形状に類似した小型のもの、すなわち、ヘッドカバーのミニチュア形状とすることにより、ゴルフプレーにふさわしい意匠となる。
【考案を実施するための最良の形態】
【００１０】
以下、図面に示した本考案の実施形態に基づき、さらに詳細に説明する。図１は、本考案の一の実施形態に係るヘッドカバー携行用保持具１を示す斜視図である。この図に示したように、本実施形態のヘッドカバー携行用保持具１は、本体部１０及び係合部２０を有して構成されている。
【００１１】
本体部１０は、使用者が着用する被服のポケット、通常、ゴルフパンツの後部に形成されたポケットに収容可能な大きさを備えている。具体的には、最も長い辺が、ポケットの間口長さ、深さのいずれよりも短く形成されており、平面上に投影した際の面積が、ポケットの面積に対して１／５〜４／５の範囲で形成されていることが好ましい。本体部１０の面積が上記した範囲よりも小さい場合には、取り扱いに不便であると共に、ポケットから脱落する可能性が増し、上記した範囲よりも大きい場合には、ポケットに入れにくくなる。ここでいう被服のポケットとしては、ゴルフパンツの後部ポケットに限らず、サイドのポケット等を使用する場合も考えられるが、いずれの場合であっても、本体部１０の面積は上記した範囲に設定することが好ましい。但し、最も使用頻度が高いと考えられるのは、ゴルフパンツの後部ポケットであるため、後部ポケットの面積に対応させて形成しておくことが実用的である。具体的には、ゴルフパンツの後部ポケットは、図３に示したように、間口長さ１００〜１２０ｍｍの範囲、深さ８０〜１００ｍｍの範囲で略方形に形成されているものが多いため、その場合のポケットの面積を概略で間口長さと深さを掛け合わせた値と同じと仮定し、本体部１０の面積は、その１／５〜４／５の範囲、すなわち、間口長さと深さが最も短い組み合わせの場合で１６００〜６４００ｍｍ２の範囲、最も長い組み合わせの場合で２４００〜９６００ｍｍ２の範囲で形成されていることが好ましい。
【００１２】
本体部１０の形状は任意である。略方形、略三角形、その他の多角形、あるいは星形などの異形等とすることができる。動植物、漫画のキャラクターなどを模したものであってもよいが、特に、ゴルフ用であることを考慮すると、図１に示したように、実際に使用されるパターカバーなどのヘッドカバーに類似した形状とすることが好ましい。なお、種々の形状とすることにより、本実施形態のヘッドカバー携行用保持具１の非使用時には、バッグなどに取り付けてアクセサリーとしたり、キーホルダーとして用いたりするなど、他の用途への適用性も広がる。但し、いずれの形状を採用するにしても、本体部１０の大きさは、上記した範囲に設定されることが好ましい。
【００１３】
本体部１０は、単なる板状のものであってもよいが、ある程度の厚みを備えると共に、少なくとも一部が厚み方向に所定の弾力性を有するものが好ましい。図４に示したような単なる板状のもの、例えば、厚さ１〜８ｍｍ程度の板状のものを使用する場合でも、可撓性のある皮革、合成樹脂等の素材から形成することが好ましい。可撓性を有することにより、単なる板状のものであっても、ポケットに収容した際に、人体の表面形状に沿って湾曲したり、あるいは姿勢変化に伴って湾曲したりするため、人体の感じる異物感を低減できる。また、単なる板状のものを用いる場合には、図１及び図２に示したような所定の弾性力を備えた膨らみを有するものと異なり、ポケットを内面側から押圧する力が大きくないため、少なくとも片面に、ゴムや合成樹脂等からなる滑り止め部材１８を設けておくことが好ましい。また、滑り止め機能を高めるため、図４に示したように、滑り止め部材１８の表面は凹凸加工を施しておくことがより好ましい。
【００１４】
一方、厚み方向に弾力性を有する場合は、例えば、表皮１０ａ内にスポンジ、ウレタンなどのクッション材を内蔵させて形成したり、あるいは、表皮１０ａを、図１に示したようにパターカバーに類似した形状とする際に、少なくとも一部１０ｂが筒状に膨らむように縫合したりすることで弾力性を付与することができる。いずれの場合も、その弾力性は、０．９ｋｇの力で厚み方向に均等に加圧した際に、非加圧時の１５〜５０％の範囲となるように設定することが好ましい。かかる範囲の弾力性を有することにより、ポケットに収容した際には、該本体部１０の少なくとも一部１０ｂがその復元力によりポケット内面を押圧することになるため、摩擦力が作用し、本体部１０のポケットからの脱落が極めて少なくなる。例えば、上記した間口長さ１００〜１２０ｍｍの範囲、深さ８０〜１００ｍｍの範囲で形成されたゴルフパンツの後部ポケットを前提とした場合には、出し入れのしやすさから、最も厚い部分の非加圧時の厚さが、２５〜４５ｍｍの範囲で設定されていることが好ましいが、その場合には、０．９ｋｇの力で厚み方向に加圧した際に、当該部分が８〜２０ｍｍの範囲となるような弾力性を有していることが好ましいことになる。
【００１５】
係合部２０は、ヘッドカバーの端縁に係合できるものであればどのようなものであってもよい。本実施形態では、先端に、一対の挟持片２１，２２を備え、該挟持片２１，２２間にヘッドカバーの端縁を位置させて、操作片２３を前方へ回動させることで、バネ力により、挟持片２１，２２間でヘッドカバー端縁を挟持して係合するクリップを用いている。もちろん、これは、あくまで一例であり、かかる方式のものに限定されるものではない。但し、他の係合手段として、例えば、針金状のものをヘッドカバー端縁に引っかける手段なども考えられるが、この場合には、ヘッドカバーの素材等によっては係合させることができない場合もあるし、ヘッドカバーに針金等を通す貫通穴を設けなければならない場合もある。また、面ファスナーやボタンなどを用いた場合には、係合対象であるヘッドカバーに、対になっている被係合部材（例えば、面ファスナーやボタンの雌部材）を設けなければならない。これに対し、本実施形態のように、挟持して係合する構成とすると、ヘッドカバーの素材等に拘わらず係合させることができると共に、ヘッドカバーに被係合部材を設ける必要もないため、汎用性を高めることができ、好ましい。
【００１６】
ここで、本体部１０には、係合部２０を連結するための連結紐１５が端部に取り付けられている。この連結紐１５に係合部２０の後端２４に直接連結しても構わないが、本実施形態では、両者間に大きさの異なる金属製のリング部材等からなる連結部材３０を複数介在させて連結している。連結紐１５の長さは任意であるが、本実施形態のように比較的短く形成し、上記金属製の連結部材３０を介在させることで、折れ曲がり部が複数箇所（連結紐１５と連結部材３０を構成する大きなリング部材との間、大小のリング部材の各間、リング部材と係合部２０との間）となることから、本体部１０をポケットに収容する際の取り扱い性が向上する。また、このような連結部材３０を有することで、係合部２０をポケットの外部に確実に露出させた状態で位置させることができるため、例えば、係合部２０がポケットの間口に引っかかることを防止でき、係合部２０がポケット間口に引っかかることにより、ヘッドカバーが外れてしまうことを抑制し、ヘッドカバーをより確実に吊り下げ支持できる。また、金属であることから、連結紐１５に直接係合部２０を連結した場合より、装飾性の向上にも資する。さらに、このような、連結部材３０を設けておけば、ゴルフ場内外において、キーホルダーとしての役目も果たさせることも可能である。
【００１７】
本実施形態のヘッドカバー携行用保持具１は、例えば、取り外したパターカバーの端縁を、図２に示したように、係合部２０の挟持片２１，２２に挟んで係合させる。次に、適宜のポケット、例えば、図３に示したように、ゴルフパンツの後部ポケットに本体部１０を収容する。これにより、ポケットの間口で、連結紐１５の中途、あるいは、連結紐１５とリング部材３０との境界付近で折れ曲がり、リング部材３０からパターカバーまでがポケットの外部に露出した状態で、ポケットから吊り下げられるように支持される。この際、本体部１０は、上記したように所定の大きさで形成されているため、ポケットに容易に収容できると共に、弾力性のあるものを使用した場合には、その復元力により、ポケットからの脱落も生じない。また、係合部２０は、パターカバーの端縁を挟持して係合する構造となっているため、パターカバーの種類を問わずに係合させることができる。これにより、グリーンサイドでのパターカバーの置き忘れを防ぐことができる。もちろん、ヘッドカバー携行用保持具１は、パターカバーに限らず、他のヘッドカバーを携行支持する際に使用することも可能である。
【００１８】
なお、ヘッドカバー携行用保持具１は、本体部１０をポケットに収容していない非使用時においても、キャディバッグに収容されている状態のゴルフクラブのヘッドカバーなどに係合部２０を係合させておけば、アクセサリー的な機能も果たす。
【図面の簡単な説明】
【００１９】
【図１】図１は、本考案の一の実施形態に係るヘッドカバー携行用保持具を示す斜視図である。
【図２】図２は、上記実施形態に係るヘッドカバー携行用保持具にパターカバーを係合させた状態を示す図である。
【図３】図３は、上記実施形態に係るヘッドカバー携行用保持具を用いてゴルフパンツの後部ポケットにパターカバーを吊り下げ支持した状態を示す図である。
【図４】図４は、本体部として膨らみのない板状のものを用いた態様のヘッドカバー携行用保持具を示す斜視図である。
【符号の説明】
【００２０】
１  ヘッドカバー携行用保持具
１０  本体部
１５  連結紐
１８  滑り止め部材
２０  係合部
２１，２２  挟持片
２３  操作片
３０  連結部材
【図１】
0003114659.tif 000003
【図２】
0003114659.tif 000004
【図３】
0003114659.tif 000005
【図４】
0003114659.tif 000006